(57)【要約】【課題】最後まで指定メッセージに従った光景で撮影を行うことのできる電子カメラ等を提供する。【解決手段】「１．遊園地  ２．スキー場  ３．温泉地・・・」等の撮影ナビの種類を選択する処理を実行する（ステップＳ１０１）。次に、フラッシュメモリの残容量を検出し（ステップＳ１０２）、この検出したフラッシュメモリの残容量から撮影可能枚数を算出する（ステップＳ１０３）。引き続き、前記ステップＳ１０１で選択された種類のナビ撮影が可能であるか否かを判断する（ステップＳ１０４）。最低必要枚数を撮影可能枚数が上回る場合には、選択された種類のナビ撮影可能と判断し（ステップＳ１０４；ＹＥＳ）、撮影可能枚数に適した枚数のナビパターンを選択する（ステップＳ１０５）。しかる後に、ナビパターンが有する撮影ナビメッセージを順次表示させる。【選択図】        図３
2004207789.tif 000002
【特許請求の範囲】
【請求項１】
撮影すべき光景を指定するための指定メッセージを順次発生する指定メッセージ発生手段を備える電子カメラであって、
撮影可能枚数を算出する算出手段と、
この算出手段により算出された撮影可能枚数に応じて、前記指定メッセージ発生手段が発生する指定メッセージ数を制御するメッセージ数制御手段と
を備えることを特徴とする電子カメラ。
【請求項２】
前記指定メッセージ数が各々異なる複数の指定パターンを記憶した記憶手段を更に備え、
前記メッセージ数制御手段は、前記算出手段により算出された撮影可能枚数に応じて、前記記憶手段に記憶されたいずれかの指定パターンを選択することにより、前記指定メッセージ数を制御することを特徴とする請求項１記載の電子カメラ。
【請求項３】
前記指定メッセージを複数記憶した記憶手段を備え、
前記メッセージ数制御手段は、前記算出手段により算出された撮影可能枚数に応じて、前記記憶手段に記憶された指定メッセージを取捨選択することにより、前記指定メッセージ数を制御することを特徴とする請求項１記載の電子カメラ。
【請求項４】
前記記憶手段は、前記指定メッセージに各々対応付けて優先順位情報を記憶し、
前記メッセージ数制御手段は、前記優先順位情報に従って前記指定メッセージを取捨選択することにより、前記指定メッセージ数を制御することを特徴とする請求項３記載の電子カメラ。
【請求項５】
操作に応じて前記指定メッセージ発生手段が順次発生する指定メッセージの種別を複数の種別の中から選択する種別選択手段を更に備え、
前記メッセージ数制御手段は、前記種別選択手段により選択された種別の指定メッセージ数を制御することを特徴とする請求項１乃至４のいずれかに記載の電子カメラ。
【請求項６】
前記指定メッセージ発生手段が発生させなければならない最低限の指定メッセージ数を前記撮影可能枚数が下回る場合、指定メッセージの発生を伴う撮影が不可能である旨を報知する報知手段を更に備えたことを特徴とする請求項１乃至５のいずれかに記載の電子カメラ。
【請求項７】
操作に応じて各々異なる数の指定メッセージを有して成る複数の指定パターンのいずれかを選択する指定パターン選択手段と、
前記算出手段により算出された撮影可能枚数と、前記選択手段により選択された指定パターンが有する指定メッセージ数とを比較し、該指定メッセージ数が示す枚数の撮影が可能か否かを判別する判別手段とを更に備え、
前記メッセージ数制御手段は、前記判別手段により撮影不可能と判別された場合、前記指定パターン選択手段により選択された指定パターンよりも指定メッセージ数の少ない他の指定パターンを選択することにより、前記指定メッセージ発生手段が発生する指定メッセージ数を制御することを特徴とする請求項１乃至６のいずれかに記載の電子カメラ。
【請求項８】
前記判別手段は、前記指定メッセージ数が示す枚数の撮影が不可能と判別した場合、更に他の指定パターンが有する指定メッセージ数が示す枚数の撮影が可能であるか否かを判別し、
可能であると判別された場合、前記メッセージ数制御手段は、前記他の指定パターンを選択することにより、前記指定メッセージ数を制御することを特徴とする請求項７記載の電子カメラ。
【請求項９】
撮影すべき光景を指定するための指定メッセージを順次発生する指定メッセージ発生手段を備える電子カメラであって、
撮影可能枚数を算出する算出手段と、
この算出手段により算出された撮影可能枚数で、前記指定メッセージ発生手段が発生する指定メッセージ数が示す枚数の撮影が可能であるか否かを判別する判別手段と、
この判別手段により撮影不可能と判別された場合、これを報知する報知手段とを備えることを特徴とする電子カメラ。
【請求項１０】
操作に応じて各々異なる数の指定メッセージを有して成る複数の指定パターンのいずれかを選択する指定パターン選択手段とを更に備え、
前記判別手段は、前記指定パターン選択手段により選択された指定パターンが有する指定メッセージ数が示す枚数の撮影が可能であるか否かを判別することを特徴とする請求項９記載の電子カメラ。
【請求項１１】
撮影すべき光景を指定するための指定メッセージを順次発生する指定メッセージ発生手段を備える電子カメラであって、
撮影可能枚数を算出する算出手段と、
この算出手段により算出された撮影可能枚数に基づき、前記指定メッセージ発生手段が発生する指定メッセージ数が示す枚数の撮影が可能となるように、前記指定メッセージに従った撮影に伴ってメモリに記録する撮影画像の画像サイズを変更する画像サイズ制御手段と
を備えることを特徴とする電子カメラ。
【請求項１２】
前記画像サイズ制御手段は、前記算出手段により算出された撮影可能枚数に基づき、前記指定メッセージ発生手段が発生する指定メッセージ数が示す枚数の撮影が可能であるか否かを判断し、撮影が不可能であると判断された場合、前記指定メッセージに従った撮影に伴ってメモリに記録する撮影画像の画像サイズを縮小サイズに変更することを特徴とする請求項１１記載の電子カメラ。
【請求項１３】
前記算出手段は、撮影に伴って画像を記録するメモリの残容量及び又は当該電子カメラの各部に電源を供給する電池の残量に基づき、撮影可能枚数を算出することを特徴とする請求項１乃至１２のいずれかに記載の電子カメラ。
【請求項１４】
撮影すべき光景を指定するための指定メッセージを順次発生する指定メッセージ発生手段を備える電子カメラが有するコンピュータを、
撮影可能枚数を算出する算出手段と、
この算出手段により算出された撮影可能枚数に応じて、前記指定メッセージ発生手段が発生する指定メッセージ数を制御するメッセージ数制御手段と
して機能させることを特徴とする電子カメラ制御プログラム。
【請求項１５】
撮影すべき光景を指定するための指定メッセージを順次発生する指定メッセージ発生手段を備える電子カメラが有するコンピュータを、
撮影可能枚数を算出する算出手段と、
この算出手段により算出された撮影可能枚数で、前記指定メッセージ発生手段が発生する指定メッセージ数が示す枚数の撮影が可能であるか否かを判別する判別手段と、
この判別手段により撮影不可能と判別された場合、これを報知させる報知制御手段と
して機能させることを特徴とする電子カメラ制御プログラム。
【請求項１６】
撮影すべき光景を指定するための指定メッセージを順次発生する指定メッセージ発生手段を備える電子カメラが有するコンピュータを、
当該カメラに残存する撮影可能枚数を算出する算出手段と、
この算出手段により算出された撮影可能枚数に基づき、前記指定メッセージ発生手段が発生する指定メッセージ数が示す枚数の撮影が可能となるように、前記指定メッセージに従った撮影に伴ってメモリに記録する撮影画像の画像サイズを変更する画像サイズ制御手段と
して機能させることを特徴とする電子カメラ制御プログラム。
【発明の詳細な説明】
【０００１】
【発明の属する技術分野】
【０００２】
本発明は、撮影ナビと称される撮影すべき光景を指定するための指定メッセージを順次発生する機能を備えた電子カメラ及び電子カメラ制御プログラムに関する。
【０００３】
【従来の技術】
【０００４】
従来、撮影すべき光景を指定するための指定メッセージを順次発生する撮影ナビ機能を備えた電子カメラが提案されている。この撮影ナビ機能を備えた電子カメラには、「遊園地」「スキー場」等の行事項目が記憶されているとともに、項目毎に指定メッセージが複数記憶されている。この指定メッセージは、例えば「遊園地」の場合、「１．出発前に玄関で撮影」「２．今日の乗り物の前で撮影」「３．遊園地の入口で撮影」・・・「５．お昼御飯で撮影」・・・「９．家について“お疲れさま”で撮影」等の撮影すべき光景を順次指定する複数のメッセージで構成されている。
【０００５】
そして、行事項目を選択すると、１番目の指定メッセージがスルー画像上に表示され、ユーザはこの指定メッセージに従った光景で撮影、例えば「１．出発前に玄関で撮影」を行う。すると、次の指定メッセージがスルー画像上に表示され、このように順次表示される指定メッセージに従った光景で撮影を行うことにより、当該行事において撮り忘れや無用な撮影を伴うことなく、適切な光景の画像を撮影して記録することができる（例えば、特許文献１参照。）。
【０００６】
【特許文献１】
特開平１０−３０４２９０号公報
【０００７】
【発明が解決しようとする課題】
【０００８】
しかしながら、電子カメラにおいて当該カメラに残存する撮影可能枚数は、画像を記録するメモリの残容量や各部に電源を供給する電池の残量に応じて異なる。したがって、当該カメラに残存する撮影可能枚数が少ないのにも拘わらず、指定メッセージ数が多い行事項目を選択した場合には、途中で撮影不可能となってしまい、最後まで指定メッセージに従った光景で撮影を行うことができない。
【０００９】
本発明は、かかる従来の課題に鑑みてなされたものであり、最後まで指定メッセージに従った光景で撮影を行うことのできる電子カメラ及び電子カメラ制御プログラムを提供することを目的とするものである。
【００１０】
【課題を解決するための手段】
【００１１】
前記課題を解決するために請求項１にかかる発明にあっては、撮影すべき光景を指定するための指定メッセージを順次発生する指定メッセージ発生手段を備える電子カメラであって、撮影可能枚数を算出する算出手段と、この算出手段により算出された撮影可能枚数に応じて、前記指定メッセージ発生手段が発生する指定メッセージ数を制御するメッセージ数制御手段とを備える。
【００１２】
すなわち、算出手段は、撮影に伴って画像を記録するメモリの残容量、又はメモリの残容量と当該電子カメラの各部に電源を供給する電池の残量、あるいは電池の残量等に基づき、撮影可能枚数を算出する。すると、メッセージ数制御手段がこの算出された撮影可能枚数に応じて、指定メッセージ発生手段が発生する指定メッセージ数を制御する。したがって、発生する指定メッセージ数は、撮影可能枚数に応じた数となることから、順次発生する指定メッセージにより指定される光景を順次撮影しても、その途中で撮影不可能となることはない。よって、最後まで順次指定メッセージに従った光景で撮影を行うことができる。
【００１３】
また、請求項２の発明にかかる電子カメラにあっては、前記指定メッセージ数が各々異なる複数の指定パターンを記憶した記憶手段を更に備え、前記メッセージ数制御手段は、前記算出手段により算出された撮影可能枚数に応じて、前記記憶手段に記憶されたいずれかの指定パターンを選択することにより、前記指定メッセージ数を制御する。
したがって、記憶手段から撮影可能枚数に応じた数の指定メッセージを有する指定パターンを読み出すことにより、容易に指定メッセージ発生手段が発生する指定メッセージ数を制御することができる。
【００１４】
また、請求項３の発明にかかる電子カメラにあっては、前記指定メッセージを複数記憶した記憶手段を備え、前記メッセージ数制御手段は、前記算出手段により算出された撮影可能枚数に応じて、前記記憶手段に記憶された指定メッセージを取捨選択することにより、前記指定メッセージ数を制御する。
したがって、記憶手段には、順次発生する複数の指定メッセージを１パターンのみ記憶させておけば、発生させる指定メッセージ数を制御することができ、少ない記憶データでの制御が可能となる。
【００１５】
また、請求項４の発明にかかる電子カメラにあっては、前記記憶手段は、前記指定メッセージに各々対応付けて優先順位情報を記憶し、前記メッセージ数制御手段は、前記優先順位情報に従って前記指定メッセージを取捨選択することにより、前記指定メッセージ数を制御する。
したがって、発生させ得る指定メッセージ数が少ない場合であっても、限定された数の指定メッセージにより、適切に撮影すべき光景を指定することが可能となる。
【００１６】
また、請求項５の発明にかかる電子カメラにあっては、操作に応じて前記指定メッセージ発生手段が順次発生する指定メッセージの種別を複数の種別の中から選択する種別選択手段を更に備え、前記メッセージ数制御手段は、前記種別選択手段により選択された種別の指定メッセージ数を制御する。すなわち、ユーザは自己が行う行事等に応じて、操作によりいずれかの種別を選択する。すると、メッセージ数制御手段は、選択された種別の指定メッセージ数を、撮影可能枚数に応じて制御する。したがって、発生する指定メッセージにユーザの意思を反映させることができ、最後まで順次指定メッセージに従った光景で撮影を行うことを可能にしつつ、ユーザが行う行事等に対して適切な指定メッセージを発生させることができる。
【００１７】
また、請求項６の発明にかかる電子カメラにあっては、前記指定メッセージ発生手段が発生させなければならない最低限の指定メッセージ数を前記撮影可能枚数が下回る場合、指定メッセージの発生を伴う撮影が不可能である旨を報知する報知手段を更に備える。したがって、ユーザは指定メッセージを順次発生させるモードでの撮影が不可能であることを認識し得るのみならず、当該電子カメラに撮影可能枚数が少ないことを認識することができ、これに対する措置を即時に行うことができる。
【００１８】
また、請求項７の発明にかかる電子カメラにあっては、操作に応じて各々異なる数の指定メッセージを有して成る複数の指定パターンのいずれかを選択する指定パターン選択手段と、前記算出手段により算出された撮影可能枚数と、前記選択手段により選択された指定パターンが有する指定メッセージ数とを比較し、該指定メッセージ数が示す枚数の撮影が可能か否かを判別する判別手段とを更に備え、前記メッセージ数制御手段は、前記判別手段により撮影不可能と判別された場合、前記指定パターン選択手段により選択された指定パターンよりも指定メッセージ数の少ない他の指定パターンを選択することにより、前記指定メッセージ発生手段が発生する指定メッセージ数を制御する。
【００１９】
したがって、ユーザが操作により選択した指定パターンが有する指定メッセージ数が示す枚数の撮影が不可能であった場合にのみ、より指定メッセージ数の少ない他の指定パターンが選択される。よって、一次的には選択される指定パターンにユーザの意思を反映させつつ、最後まで順次指定メッセージに従った光景で撮影を行うことができるように指定メッセージを発生させることができる。
【００２０】
また、請求項８の発明にかかる電子カメラにあっては、前記判別手段は、前記指定メッセージ数が示す枚数の撮影が不可能と判別した場合、更に他の指定パターンが有する指定メッセージ数が示す枚数の撮影が可能であるか否かを判別し、可能であると判別された場合、前記メッセージ数制御手段は、前記他の指定パターンを選択することにより、前記指定メッセージ数を制御する。
したがって、撮影可能枚数以内において、最も指定メッセージ数が多い指定パターンが選択されて、発生する指定メッセージ数が制御されることとなる。よって、最後まで順次指定メッセージに従った光景で撮影を行うことを可能にしつつ、撮影可能枚数でより多くの撮影を行うことができる。
【００２１】
また、請求項９にかかる発明にあっては、撮影すべき光景を指定するための指定メッセージを順次発生する指定メッセージ発生手段を備える電子カメラであって、撮影可能枚数を算出する算出手段と、この算出手段により算出された撮影可能枚数で、前記指定メッセージ発生手段が発生する指定メッセージ数が示す枚数の撮影が可能であるか否かを判別する判別手段と、この判別手段により撮影不可能と判別された場合、これを報知する報知手段とを備える。
したがって、ユーザは指定メッセージを順次発生させるモードでの撮影が不可能であることを認識し得るのみならず、当該電子カメラに撮影可能枚数が少ないことを認識することができ、これに対する措置を即時に行うことができる。
【００２２】
また、請求項１０の発明にかかる電子カメラにあっては、操作に応じて各々異なる数の指定メッセージを有して成る複数の指定パターンのいずれかを選択する指定パターン選択手段とを更に備え、前記判別手段は、前記指定パターン選択手段により選択された指定パターンが有する指定メッセージ数が示す枚数の撮影が可能であるか否かを判別する。
したがって、ユーザが自己の意思で操作により選択した指定パターンに対して、最後まで順次指定メッセージに従った光景で撮影を行うことを可能であるか否かの判別を行うことができる。
【００２３】
また、請求項１１にかかる発明にあっては、撮影すべき光景を指定するための指定メッセージを順次発生する指定メッセージ発生手段を備える電子カメラであって、撮影可能枚数を算出する算出手段と、この算出手段により算出された撮影可能枚数に基づき、前記指定メッセージ発生手段が発生する指定メッセージ数が示す枚数の撮影が可能となるように、前記指定メッセージに従った撮影に伴ってメモリに記録する撮影画像の画像サイズを変更する画像サイズ制御手段とを備える。したがって、メモリに記録される画像のサイズに関してユーザの意思が無心されるが、順次発生する指定メッセージにより指定される光景を順次撮影しても、その途中で撮影不可能となる可能性が低くなり、最後まで順次指定メッセージに従った光景で撮影を行うことができる可能性が高まる。
【００２４】
また、請求項１２の発明にかかる電子カメラにあっては、前記画像サイズ制御手段は、前記算出手段により算出された撮影可能枚数に基づき、前記指定メッセージ発生手段が発生する指定メッセージ数が示す枚数の撮影が可能であるか否かを判断し、撮影が不可能であると判断された場合、前記指定メッセージに従った撮影に伴ってメモリに記録する撮影画像の画像サイズを縮小サイズに変更する。
【００２５】
したがって、メモリに記録される画像のサイズが縮小サイズとはなる場合もあるが、順次発生する指定メッセージにより指定される光景を順次撮影しても、その途中で撮影不可能となる可能性が低くなり、最後まで順次指定メッセージに従った光景で撮影を行うことができる可能性が高まる。
【００２６】
また、請求項１３の発明にかかる電子カメラにあっては、前記算出手段は、撮影に伴って画像を記録するメモリの残容量及び又は当該電子カメラの各部に電源を供給する電池の残量に基づき、撮影可能枚数を算出する。
つまり、算出手段は、撮影に伴って画像を記録するメモリの残容量、又はメモリの残容量と当該電子カメラの各部に電源を供給する電池の残量、あるいは電池の残量等に基づき、撮影可能枚数を算出する。
【００２７】
また、請求項１４の発明にかかる電子カメラ制御プログラムにあっては、撮影すべき光景を指定するための指定メッセージを順次発生する指定メッセージ発生手段を備える電子カメラが有するコンピュータを、撮影可能枚数を算出する算出手段と、この算出手段により算出された撮影可能枚数に応じて、前記指定メッセージ発生手段が発生する指定メッセージ数を制御するメッセージ数制御手段として機能させる。したがって、前記コンピュータがこのプログラムに従って処理を実行することにより、請求項１にかかる発明と同様の作用効果を奏する。
【００２８】
また、請求項１５の発明にかかる電子カメラ制御プログラムにあっては、撮影すべき光景を指定するための指定メッセージを順次発生する指定メッセージ発生手段を備える電子カメラが有するコンピュータを、撮影可能枚数を算出する算出手段と、この算出手段により算出された撮影可能枚数で、前記指定メッセージ発生手段が発生する指定メッセージ数が示す枚数の撮影が可能であるか否かを判別する判別手段と、この判別手段により撮影不可能と判別された場合、これを報知させる報知制御手段として機能させる。したがって、前記コンピュータがこのプログラムに従って処理を実行することにより、請求項９にかかる発明と同様の作用効果を奏する。
【００２９】
また、請求項１６の発明にかかる電子カメラ制御プログラムにあっては、撮影すべき光景を指定するための指定メッセージを順次発生する指定メッセージ発生手段を備える電子カメラが有するコンピュータを、当該カメラに残存する撮影可能枚数を算出する算出手段と、この算出手段により算出された撮影可能枚数に基づき、前記指定メッセージ発生手段が発生する指定メッセージ数が示す枚数の撮影が可能となるように、前記指定メッセージに従った撮影に伴ってメモリに記録する撮影画像の画像サイズを変更する画像サイズ制御手段として機能させる。したがって、前記コンピュータがこのプログラムに従って処理を実行することにより、請求項１１にかかる発明と同様の作用効果を奏する。
【００３０】
【発明の実施の形態】
【００３１】
以下、本発明の一実施の形態を図にしたがって説明する。
（第１の実施の形態）
図１は、本発明の各実施の形態に共通する電子カメラ１の電気的概略構成を示すブロック構成図である。この電子カメラ１は、ＣＣＤ３により撮像した画像をＪＰＥＧ形式に変換する等の画像処理機能を備えたＭＰＵ４を中心に構成されている。ＣＣＤ３の受光面には、ズームレンズ２、フォーカスレンズ５、絞り６を通過して被写体の光学像が結像される。
【００３２】
ズームレンズ２は、複数枚のレンズを有し焦点距離の可変（変倍）、及び光学特性の補正が可能なレンズ群であって、ズーミングモータ等からなる駆動機構７に保持されている。そして、ズームキーの操作等に応じてＭＰＵ４が制御信号をズームドライバー８に出力し、ズームドライバー８が駆動信号を駆動機構７に供給することにより、ズームレンズ２がズーム駆動される。フォーカスレンズ５はＡＦモータ等からなる駆動機構９に保持されており、ＭＰＵ４からの制御信号によりＡＦドライバー１０が出力する駆動信号が駆動機構９に供給されることにより、光軸上を前後に移動する合焦動作を行う。絞り６は、ＭＰＵ４からの制御信号に基づき絞り駆動部１１が発生する駆動信号により駆動し、ＣＣＤ３に入射する被写体像の光量を調整する。
【００３３】
また、ＭＰＵ４には、タイミング信号を発生するＴＧ（Timing Generator ）１２が接続されており、ＴＧ１２が発生したタイミング信号に基づきＶドライバー１３（垂直方向ドライバー）がＣＣＤ３を駆動し、それに伴いＣＣＤ３により被写体像の輝度に応じたアナログの撮像信号が出力されユニット回路１４へ送られる。ユニット回路１４は、ＣＣＤ３から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ３の出力信号は、ここで黒レベルを合わせてサンプリングされデジタル信号としてＭＰＵ４に送られる。送られたデジタル信号（撮像信号）はＤＲＡＭ１５に一時保存されるとともに、ＭＰＵ４によって、画質モード（高画質モード、低画質モード）等に応じた各種の画像処理が施された後、最終的には着脱自在なフラッシュメモリ（ＦＬＡＳＨ）１６に保存される。保存された映像信号は、必要に応じてＭＰＵ４に読み出され、伸長処理、輝度信号及び色信号の付加等の処理を経てデジタルビデオ信号やアナログビデオ信号に生成される。
【００３４】
さらに、ＭＰＵ４にはＭＲＯＭ１７と、電池を有する電源回路１８、前記ズームキーやシャッターボタン、モード設定キー、後述するフローチャートに示す各種キーやスイッチを含む操作キー部１９、ＴＦＴ液晶モニター２０が接続されている。ＭＲＯＭ１７は、後述するフローチャートに示すＭＰＵ４の動作プログラム等が記録されたプログラムＲＯＭである。また、ＭＲＯＭ１７には撮影時の適正な露出値（ＥＶ）に対応する絞り値（Ｆ）とシャッタースピードとの組み合わせを示すプログラム線図を構成するプログラムＡＥデータも格納されている。
【００３５】
ＭＰＵ４は、内蔵するＲＡＭをワーキングメモリとして前記動作プログラムに従い動作することにより本発明の指定メッセージ発生手段、算出手段、メッセージ数制御手段、判別手段、画像サイズ制御手段等として機能する。また、前記プログラム線図に従って前記ＣＣＤ３の電荷蓄積時間や、前記絞り６の開放度、前記ユニット回路１４のゲイン調整アンプ（ＡＧＣ）のゲイン設定等を行う。ＭＰＵ４が設定した電荷蓄積時間はシャッターパルスとして、ＴＧ１２を介してＶドライバー１３に供給され、これに従いＶドライバー１３がＣＣＤ３を駆動することにより電荷蓄積時間すなわち露光時間が制御される。つまりＣＣＤ３は電子シャッターとして機能する。また、ＭＲＯＭ１７に格納された動作プログラムには、オートフォーカス制御に関するプログラムが含まれており、かかるプログラムに基づきＭＰＵ４は、前記フォーカスレンズ５を駆動させピント合わせ（オートフォーカス）を行う。
【００３６】
ＴＦＴ液晶モニター２０は、撮影モード及びナビ撮影モードにおいては逐次撮像された画像をスルー画像として表示するとともに、ナビ撮影モードにおいては後述するように更に撮影ナビメッセージ（指定メッセージ）を表示し、再生モードにおいては前記フラッシュメモリ１６に記録された画像データから生成されたアナログビデオ信号に基づく映像を表示する。
【００３７】
前記ＭＲＯＭ１７の一部には、図２に示すナビデータメモリ部１７１が設けられている。このナビデータメモリ部１７１には、「遊園地」「スキー場」・・・等の旅行先や行事等の撮影ナビの種類１７２に各々対応して、ナビパターン１７３が記憶されている。ナビパターン１７３としては、各撮影ナビの種類１７２に対応してａ、ｂ、ｃの３種類記憶され、これらナビパターンａ、ｂ、ｃは各々異なる数の撮影ナビメッセージで構成されている。
【００３８】
すなわち、本実施の形態においては、ナビパターンａは１〜４の撮影ナビメッセージで構成され、ナビパターンｂは１〜６の撮影ナビメッセージで構成され、ナビパターンｃは１〜１０の撮影ナビメッセージで構成されている。これら撮影ナビメッセージは、例えば遊園地の場合、「１．出発前に玄関で撮影」「２．今日の乗り物の前で撮影」「３．遊園地の入口で撮影」・・・等の、旅行先や行事において撮影すべき光景あるいは被写体を順次指定する内容の文字列をＴＦＴ液晶モニター２０に表示させるデータである。
【００３９】
そして、各ナビパターンが有する複数の撮影ナビメッセージに従った光景や被写体を撮影することにより、各ナビパターンが属する撮影ナビの種類に対応する旅先や行事において、撮り忘れや無用な撮影を伴うことなく、適切な光景の画像を撮影して記録できるように考慮されている。例えばナビパターンａにおける撮影ナビメッセージ１〜４の内容は、ナビパターンｂの撮影ナビメッセージ１〜６における１〜４とは必ずしも同一ではない。つまり、最も多い撮影ナビメッセージ数であるナビパターンｃは無論のこと、最も少ない撮影ナビメッセージ数であるナビパターンａであっても、撮影ナビメッセージに従った光景や被写体を撮影することにより、旅先や行事の始めから終わりまでにおいて、限られた枚数内で適切な光景の画像を撮影して記録できるように考慮されている。
【００４０】
なお、前述したＭＲＯＭ１７に記憶されているプログラムデータ等は、その記録内容の保持が可能であれば、別途固定的に設けたもの、若しくは脱着自在に装着可能なＩＣカード等の他の記録媒体に記録される構成にしてもよく、さらに、前記プログラムデータ等をパソコン等の他の機器から供給可能な構成としてもよい。
【００４１】
次に、以上の構成からなる電子カメラ１の動作について説明する。電源スイッチが操作されて電源がオンとなっており、かつ、モード設定キーの操作によりナビ撮影モードが設定されている状態において、ＭＰＵ４は、ＭＲＯＭ１７に格納されているプログラムに従って図３のフローチャートに示す手順で処理を実行する。すなわち、先ず撮影ナビの種類を選択する処理を実行する（ステップＳ１０１）。このステップＳ１０１での処理に際しては、「１．遊園地  ２．スキー場３．温泉地・・・」等の、前記ナビデータメモリ部１７１に記憶されている撮影ナビの種類１７２をＴＦＴ液晶モニター２０に表示し、ユーザが操作キー部１９での操作によりこの選択メニューの中からいずれか一つを選択すると、この選択した撮影ナビの種類に決定して内蔵するＲＡＭに記憶する。
【００４２】
次に、フラッシュメモリ１６の残容量を検出し（ステップＳ１０２）、この検出したフラッシュメモリ１６の残容量から撮影可能枚数を算出する（ステップＳ１０３）。すなわち、フラッシュメモリ１６の残容量を、撮影した画像を記録する際のデータサイズで除することにより、フラッシュメモリ１６に記録することが可能な画像（画像データ）の枚数、つまりは撮影可能枚数を算出することができる。
【００４３】
引き続き、前記ステップＳ１０１で選択された種類のナビ撮影が可能であるか否かを判断する（ステップＳ１０４）。すなわち、例えばステップＳ１０１で撮影ナビの種類「遊園地」が選択されたとすると、この撮影ナビの種類「遊園地」は前述のようにナビパターンａ、ｂ、ｃで構成され、ナビパターンａは１〜４の撮影ナビメッセージで、ナビパターンｂは１〜６の撮影ナビメッセージで、ナビパターンｃは１〜１０の撮影ナビメッセージで各々構成されている。したがって、ナビパターンａは４枚、ナビパターンｂは６枚、ナビパターンｃは１０枚の撮影枚数が必要となる。よって、選択された撮影ナビの種類では最低４枚の撮影枚数が必要となることから、この選択された撮影ナビの種類における最低必要枚数（４枚）とステップＳ１０３で算出された撮影可能枚数とを比較し、最低必要枚数を撮影可能枚数が下回るか否かを判断する。
【００４４】
そして、最低必要枚数を撮影可能枚数が下回る場合には、選択された種類のナビ撮影不可能と判断し（ステップＳ１０４；ＮＯ）、この場合にはＴＦＴ液晶モニター２０にて、選択された種類のナビ撮影は不可能である旨の警告表示を行う（ステップＳ１１３）。したがって、ユーザはこの警告表示を視認することにより、選択された種類のナビ撮影は不可能であることを認識し得るのみならず、フラッシュメモリ１６に残存する撮影可能枚数が少ないことを認識することができ、フラッシュメモリ１６から不要な画像データを削除したり、他のフラッシュメモリ１６に交換する等の措置を即時に行うことができる。
【００４５】
一方、最低必要枚数を撮影可能枚数が上回る場合には、選択された種類のナビ撮影可能と判断し（ステップＳ１０４；ＹＥＳ）、撮影可能枚数に適した枚数のナビパターンを選択する（ステップＳ１０５）。すなわち、撮影可能枚数が１０枚以上であれば撮影必要枚数が１０枚であるパターンｃを選択し、１０枚未満６枚以上であれば撮影必要枚数が６枚であるパターンｂを選択し、６枚未満４枚以上であれば撮影必要枚数が４枚であるナビパターンａを選択する。
【００４６】
次に、ｎに初期値「１」を設定するとともに、ｍにステップＳ１０５で選択されたナビパターンの撮影必要枚数をセットする（ステップＳ１０６）。引き続き、選択されたナビパターン中のｎ番目の撮影ナビメッセージをスルー画像上に表示する（ステップＳ１０７）。すなわち、ナビ撮影モードの状態においては、ユニット回路１４で処理されたＣＣＤ３からの出力信号に基づく被写体像の画像データに基づき、ズームレンズ２及びフォーカスレンズ５によりＣＣＤ３上に結像された被写体像がスルー画像としてＴＦＴ液晶モニター２０に表示されている。そこで、ナビデータメモリ部１７１から選択ナビパターン中のｎ番目の撮影ナビメッセージを読み出して、これをＴＦＴ液晶モニター２０にてスルー画像上に表示する。したがって、例えばステップＳ１０１で撮影ナビの種類「遊園地」が選択され、ステップＳ１０５でナビパターンｃが選択されたとすると、スルー画像上には撮影ナビメッセージ「１．出発前に玄関で撮影」が表示されることとなる。
【００４７】
なお、このとき撮影ナビメッセージのみならず、人型の枠等もＴＦＴ液晶モニター２０に表示し、この人型の枠内に被撮影者が入るように電子カメラ１の向きを調整したりズーム調整を行うことにより、適切に人物と背景とが調和した画像を撮影できるようにしてもよい。
【００４８】
次に、シャッターボタンが押下されるまで待機する（ステップＳ１０８）。この間撮影者は、ＴＦＴ液晶モニター２０に表示された撮影ナビメッセージを確認、当該撮影ナビメッセージに従った光景となるように、被撮影者を集合させる等を行う。そして、当該撮影ナビメッセージに従った光景となったならば、シャッターボタンを押下する（ステップＳ１０８；ＹＥＳ）。すると、ＭＰＵ４は撮影処理を実行するとともに（ステップＳ１０９）、記録処理を実行し（ステップＳ１１０）、ＤＲＡＭ１５に一時保存されているシャッターボタン押下時における被写体の画像データに各種の画像処理を施した後、フラッシュメモリ１６に記録する。このとき、前述のステップＳ１０５で選択された１つのナビパターンに従って、撮影画像の画像データを関連付けて記憶する。
【００４９】
しかる後に、ｎ＝ｍとなったか否かを判断し（ステップＳ１１１）、ｎ≠ｍであるならば、ｎの値を歩進させた後（ステップＳ１１２）、ｎ＝ｍとなるまでステップＳ１０７〜Ｓ１１２の処理を繰り返す。したがって、ステップＳ１０７〜Ｓ１１２の処理が繰り返されることにより、ステップＳ１０７では選択されたナビパターンに属する撮影ナビメッセージがＴＦＴ液晶モニター２０に順次表示される。よって、ユーザがこのＴＦＴ液晶モニター２０に順次表示される撮影ナビメッセージに従って撮影を行うことにより、撮影ナビの種類に対応する旅先や行事において、撮り忘れや無用な撮影を伴うことなく、適切な光景の画像を撮影して記録して行くことができる。
【００５０】
このとき、ＴＦＴ液晶モニター２０に表示される撮影ナビメッセージ数は、当該電子カメラ１に残存する撮影可能枚数以下の数であることから、順次ＴＦＴ液晶モニター２０に表示される撮影ナビメッセージにより指定される光景を順次撮影しても、その途中で撮影不可能となることはない。よって、最後まで順次撮影ナビメッセージに従った光景で撮影を行うことができる。
【００５１】
また、ステップＳ１０４においては、ステップＳ１０１で選択された種類のナビ撮影が可能であるか否かが判断され、可能である場合にのみステップＳ１０５で、選択された撮影ナビの種類からナビパターンを選択する。よって、選択されたナビパターンは、ユーザが自己の意思で選択した種類であり、例えば「１．遊園地」を選択したにも拘わらず、撮影可能枚数との関係により「２．スキー場」のナビパターンが選択されてしまうことはなく、選択されるナビパターンにユーザの意思を適正に反映させることができる。
【００５２】
しかも、前述のように、最も多い撮影ナビメッセージ数であるナビパターンｃは無論のこと、最も少ない撮影ナビメッセージ数であるナビパターンａであっても、撮影ナビメッセージに従った光景や被写体を撮影することにより、旅先や行事の始めから終わりまでにおいて、限られた枚数内で適切な光景の画像を撮影して記録できるように考慮されている。よって、撮影可能枚数との関係でいずれのナビパターンが選択された場合であっても、限られた枚数内で適切な光景の画像を撮影して記録することができる。
【００５３】
（第１の実施の形態の変形例）
図４は、本発明の第１の実施の形態の変形例において、前記ＭＲＯＭ１７に設けられているナビデータメモリ部１７４を示すものである。このナビデータメモリ部１７４には、「遊園地」「スキー場」・・・等の旅行先や行事等の撮影ナビの種類１７２に各々対応して、一種類のナビパターン１７５が記憶されている。ナビパターン１７５は、例えば撮影ナビの種類が「遊園地」の場合、１〜９の撮影ナビメッセージで構成され、各撮影ナビメッセージには、最も優先順位が高い（Ａ）から最も優先順位が低い（Ｃ）までの優先順位情報（Ａ）（Ｂ）（Ｃ）が付加されている。そして、最も優先順位が高い（Ａ）は、必ず含まれなければならない撮影ナビメッセージであり、（Ａ）さえ含めば、（Ａ）と（Ｂ）と（Ｃ）の全てである場合は無論のこと、（Ａ）と（Ｂ）、（Ａ）と（Ｃ）、最も少ない撮影ナビメッセージ数である（Ａ）のみであっても、撮影ナビメッセージに従った光景や被写体を撮影することにより、旅先や行事の始めから終わりまでにおいて、限られた枚数内で適切な光景の画像を撮影して記録できるように考慮されている。
【００５４】
かかる構成において、モード設定キーの操作によりナビ撮影モードが設定されれると、ＭＰＵ４は、ＭＲＯＭ１７に格納されているプログラムに従って前述した図３のフローチャートに示す手順で処理を実行する。そして、ステップＳ１０４では、ステップＳ１０３で算出された撮影可能枚数に基づき、ステップＳ１０１で選択された種類のナビ撮影が可能であるか否かを判断する（ステップＳ１０４）。
【００５５】
ここで、前述のように、最も優先順位が高い（Ａ）は、必ず含まれなければならない撮影ナビメッセージであり、また優先順位は（Ａ）（Ｂ）（Ｃ）の順序である。したがって、選択された撮影ナビの種類「遊園地」において、この条件を満たして取捨選択を行うと以下のパターンが存在することとなる。
１．（Ａ）のみ            ；撮影ナビメッセージ数＝３
２．（Ａ）と（Ｃ）        ；撮影ナビメッセージ数＝５
３．（Ａ）と（Ｂ）        ；撮影ナビメッセージ数＝７
４．（Ａ）と（Ｂ）と（Ｃ）；撮影ナビメッセージ数＝９
【００５６】
したがって、選択された撮影ナビの種類では最低３枚の撮影枚数が必要となることから、この選択された撮影ナビの種類における最低必要枚数（３枚）とステップＳ１０３で算出された撮影可能枚数とを比較し、最低必要枚数を撮影可能枚数が下回るか否かを判断する。そして、最低必要枚数を撮影可能枚数が下回る場合には、選択された種類のナビ撮影不可能と判断し（ステップＳ１０４；ＮＯ）、一方、最低必要枚数を撮影可能枚数が上回る場合には、選択された種類のナビ撮影可能と判断し（ステップＳ１０４；ＹＥＳ）、撮影可能枚数に適した枚数のナビパターンを選択する（ステップＳ１０５）。
【００５７】
すなわち、撮影可能枚数が９枚以上であれば撮影必要枚数が９枚である（Ａ）と（Ｂ）と（Ｃ）からなるナビパターンを選択し、９枚未満７枚以上であれば撮影必要枚数が７枚である（Ａ）と（Ｂ）からなるナビパターンを選択し、７枚未満５枚以上であれば撮影必要枚数が５枚である（Ａ）と（Ｃ）からなるナビパターンを選択し、５枚未満３枚以上であれば撮影必要枚数が３枚である（Ａ）のみからなるナビパターンを選択する。しかる後に、前述したステップＳ１０６以降の処理を実行する。
【００５８】
したがって、この変形例によれば、ナビデータメモリ部１７４には撮影ナビの種類毎に１つのナビパターンを記憶させておけば、ＴＦＴ液晶モニター２０に表示される撮影ナビメッセージ数を制御することができ、少ない記憶データでの制御が可能となる。しかも、前述のように、最も多い撮影ナビメッセージ数である（Ａ）と（Ｂ）と（Ｃ）からなるナビパターンは無論のこと、最も少ない撮影ナビメッセージ数である（Ａ）のみからなるナビパターンであっても、撮影ナビメッセージに従った光景や被写体を撮影することにより、旅先や行事の始めから終わりまでにおいて、限られた枚数内で適切な光景の画像を撮影して記録できるように考慮されている。よって、撮影可能枚数との関係でいずれのナビパターンが選択された場合であっても、限られた枚数内で適切な光景の画像を撮影して記録することができる。
【００５９】
（第２の実施の形態）
図５は、本発明の第２の実施の形態における処理手順の要部を示すフローチャートである。なお、この実施の形態においては、図２に示したナビデータメモリ部１７１を有するものとする。電源スイッチが操作されて電源がオンとなっており、かつ、モード設定キーの操作によりナビ撮影モードが設定されている状態において、ＭＰＵ４は、ＭＲＯＭ１７に格納されているプログラムに従って図５のフローチャートに示す手順で処理を実行する。すなわち、先ず撮影ナビの種類を選択する処理を実行する（ステップＳ２０１）。このステップＳ２０１での処理に際しては、第１の実施の形態と同様に「１．遊園地  ２．スキー場  ３．温泉地・・・」等の、前記ナビデータメモリ部１７１に記憶されている撮影ナビの種類１７２をＴＦＴ液晶モニター２０に表示し、ユーザが操作キー部１９で操作によりこの選択メニューの中からいずれか一つを選択すると、この選択した撮影ナビの種類に決定して内蔵するＲＡＭに記憶する。
【００６０】
次に、選択された撮影ナビの種類に属する複数のナビパターンから、ユーザが所望のものを選択する処理を実行する（ステップＳ２０２）。このステップＳ２０２での処理に際しては、例えば撮影ナビの種類として「遊園地」選択されている場合、下記のように「遊園地」に属するナビパターンａ、ｂ、ｃが各々有する撮影ナビメッセージの番号をＴＦＴ液晶モニター２０に表示する。
ａ．１  ２  ３  ４
ｂ．１  ２  ３  ４  ５  ６
ｃ．１  ２  ３  ４  ５  ６  ７  ８  ９  １０
そして、ユーザが操作キー部１９での操作によりこのナビパターンａ、ｂ、ｃの中からいずれか一つを選択すると、この選択したナビパターンに決定して内蔵するＲＡＭに記憶する。
【００６１】
なお、下記のようにナビパターンａ、ｂ、ｃの撮影枚数を表示させるようにしてもよい。
ａ．  ４枚
ｂ．  ６枚
ｃ．１０枚
あるいは、撮影ナビメッセージの番号とともに、撮影ナビメッセージの内容を表示させるようにしてもよい。
【００６２】
次に、フラッシュメモリ１６の残容量を検出し（ステップＳ２０３）、前述と同様にしてこの検出したフラッシュメモリ１６の残容量から撮影可能枚数を算出する（ステップＳ２０４）。引き続き、前記ステップＳ２０２で選択されたナビパターンでの撮影必要枚数が、ステップＳ２０３で算出した撮影可能枚数を超えるか否かを判断する（ステップＳ２０５）。そして、選択されたナビパターンでの撮影必要枚数が撮影可能枚数を超えない場合には（ステップＳ２０５；ＮＯ）、前述した図３のフローチャートにおけるステップＳ１０６以降の処理を実行する。
【００６３】
他方、ステップＳ２０５での判断の結果、選択されたナビパターンでの撮影必要枚数が撮影可能枚数を超える場合には（ステップＳ２０５；ＹＥＳ）、ＴＦＴ液晶モニター２０にその旨の警告表示を行う（ステップＳ２０６）。しかる後に、この警告表示を視認してユーザが操作キー部１９で行った操作が「キャンセル」「自動選択」「手動選択」のいずれであったかを判断し（ステップＳ２０７）、「キャンセル」であった場合には、このフローに従った処理を終了する。
【００６４】
また、「手動選択」であった場合には、選択された撮影ナビの種類に属する複数のナビパターンから、ユーザが選択する処理を実行する（ステップＳ２１１）。このステップＳ２１１での処理に際しては、前述のステップＳ２０２での処理と同様の表示をＴＦＴ液晶モニター２０にて行い、ユーザが操作キー部１９での操作によりこのナビパターンａ、ｂ、ｃの中からいずれか一つを選択すると、この選択したナビパターンに決定して内蔵するＲＡＭに記憶する。
【００６５】
このとき、ユーザはステップＳ２０６での警告表示を視認したことから、前回よりも少ない必要撮影枚数のナビパターンを選択し得る。したがって、次にステップＳ２０５の判別がなされたときには、選択されたナビパターンでの撮影必要枚数が撮影可能枚数を超えない場合が発生し（ステップＳ２０５；ＮＯ）、この場合には前述した図３のフローチャートにおけるステップＳ１０６以降の処理を実行する。
【００６６】
また、「自動選択」であった場合には、前記ステップＳ２０１で選択された種類のナビ撮影が可能であるか否かを判断する（ステップＳ２０８）。このステップＳ２０８の処理は、前述した図３のフローチャートにおけるステップＳ１０４の処理と同様であり、選択された撮影ナビの種類における最低必要枚数を撮影可能枚数が下回る場合には、選択された種類のナビ撮影不可能と判断し（ステップＳ２０８；ＮＯ）、この場合にはＴＦＴ液晶モニター２０にて、選択された種類のナビ撮影は不可能である旨の警告表示を行う（ステップＳ２１０）。
【００６７】
一方、前記最低必要枚数を撮影可能枚数が上回る場合には、選択された種類のナビ撮影可能と判断し（ステップＳ２０８；ＹＥＳ）、撮影可能枚数に適した枚数のナビパターンを選択する（ステップＳ２０９）。このステップＳ２０９の処理も前述した図３のフローチャートにおけるステップＳ１０５の処理と同様である。但し、この実施例においてステップＳ２０９は、ステップＳ２０５の判断がＹＥＳであった場合、つまりステップＳ２０２で選択されたナビパターンでの撮影必要枚数が撮影可能枚数を超える場合にのみなされることから、ステップＳ２０９ではユーザが選択したナビパターンよりも、少ない撮影必要枚数のナビパターンが選択されることとなる。しかる後に、図３のフローチャートにおけるステップＳ１０６以降の処理を実行する。
【００６８】
なお、この実施の形態においては、図２に示したナビデータメモリ部１７１を有するものとしたが、図４に示したナビデータメモリ部１７４を有する場合であっても適用することができる。この場合、ユーザはステップＳ２０２及び２１１の処理で優先順位（Ａ）（Ｂ）（Ｃ）とは無関係に所望の撮影ナビメッセージを複数選択してナビパターンとすることもできる。しかし、ステップＳ２１１での選択時には、ステップＳ２０２での選択時よりも少ない数の撮影ナビメッセージを選択すべきことは要求される。
【００６９】
また、この実施の形態においては、ステップＳ２０７でユーザが「キャンセル」「自動選択」「手動選択」のいずれの操作を行ったかを判断するようにしたが、このステップＳ２０７の判断や、ステップＳ２１１の処理を行わずに、ステップＳ２０６の処理に続いてステップＳ２０８の処理を実行し、直ちに自動選択処理に移行するようにしてもよい。
【００７０】
（第２の実施の形態の変形例）
図６は、本発明の第２の実施の形態の変形例における処理手順を示すフローチャートである。モード設定キーの操作によりナビ撮影モードが設定されると、ＭＰＵ４は、ＭＲＯＭ１７に格納されているプログラムに従って図６のフローチャートに示す手順で処理を実行する。このフローチャートにおいて、ステップＳ３０１〜Ｓ３０５の処理は、前述した図５のフローチャートにおけるステップＳ２０１〜Ｓ２０５の処理と同一である。そして、ステップＳ３０５での判断の結果、選択されたナビパターンでの撮影必要枚数が撮影可能枚数を超える場合には（ステップＳ３０５；ＹＥＳ）、ＴＦＴ液晶モニター２０にその旨の警告表示を行う（ステップＳ３０６）。
【００７１】
そして、しかる後にメモリ残容量及び選択ナビパターンの必要撮影枚数に基づいて、撮影画質サイズ（撮影モード）を決定する（ステップＳ３０７）。すなわち、例えばステップＳ３０５の処理が実行されたときに高画質モードが設定されていて、撮影必要枚数が「１０」であって高画質モードでの撮影可能枚数が「７」であったとすると、撮影必要枚数が撮影可能枚数を超えるので、ステップＳ３０５の判断は「ＹＥＳ」となり、ステップＳ３０７の処理が実行されることとなる。
【００７２】
ここで、例えば低画質モードでフラッシュメモリ１６に記録する際の画像サイズが、高画質モードでの画像サイズの１／２であったとすると、ステップＳ３０７での処理時にフラッシュメモリ１６には、低画質モードで記録した場合、１４枚分のメモリ残容量が存在することとなる。したがって、低画質モードに変更すれば、撮影必要枚数「１０」の画像をフラッシュメモリ１６に記録することができる。また、このように、撮影必要枚数の画像をフラッシュメモリ１６に記録することができる場合に限らず、例えば撮影必要枚数が「１０」あるのに対し、高画質モードでの撮影可能枚数が「４」であり、低画質モードで記録した場合でも８枚分のメモリ残容量しか存在しない場合であっても、低画質モードに変更した方が記録可能な枚数が多くすることができる。
【００７３】
しかる後に、決定した画質モードに切り換え（ステップＳ３０８）、図３のステップＳ１０６以降の処理を実行する。
【００７４】
したがって、この変形例によれば、フラッシュメモリ１６に記録される画像のサイズは小さくはなるが、ユーザが選択したナビパターンにより順次発生する指定メッセージにより指定される光景を順次撮影しても、その途中で撮影不可能となる可能性が低くなり、最後まで順次指定メッセージに従った光景で撮影を行うことができる可能性が高めることができる。また、途中で撮影不可能となった場合であっても、より多くの枚数の画像をフラッシュメモリ１６に記録することができる。
【００７５】
なお、第２の実施の形態の変形例において、ステップＳ３０４〜Ｓ３０６の処理を省略し、ステップＳ３０３の処理の後、直ちにステップＳ３０７の処理に移行するようにしてもよい。
【００７６】
また、第２の実施の形態の変形例において、ステップＳ３０７でメモリ残容量を全て使い切るように１枚当りの撮影画像サイズを決定するようにしてもよい。
【００７７】
また、第１、第２の実施の形態においては、フラッシュメモリ１６のメモリ残容量のみから当該電子カメラ１に残存する撮影可能枚数を算出するようにしたが、フラッシュメモリ１６のメモリ残容量と電源回路１８が有する電池の残量、あるいは電池の残量から当該電子カメラ１に残存する撮影可能枚数を算出するようにしてもよい。メモリ残容量と電池の残量とを併用する場合には、各々から個別に撮影可能枚数を算出して、少ない撮影可能枚数を当該電子カメラ１に残存する撮影可能枚数とすればよい。また、一般的な乾電池を使用している電子カメラにおいて、電池の残量のみから撮影可能枚数を算出した場合には、前述の警告表示がなされた際、電池交換により対応が容易となる利点がある。
【００７８】
また、第１、第２の実施の形態にあっては、いずれも本発明を電子カメラに適用した場合について説明したが、本発明はこれに限るものではなく、他にもカメラ付き携帯電話端末、カメラ付きＰＤＡ（Ｐｅｒｓｏｎａｌ  Ｄｉｇｉｔａｌ  Ａｓｓｉｓｔａｎｔｓ：携帯情報端末）、カメラ付きパーソナルコンピュータ等に適用することも容易に可能であり、要は撮影ナビ機能を備えた装置であればいずれにも適用できる。
【００７９】
【発明の効果】
【００８０】
以上説明したように請求項１及び請求項１４にかかる発明によれば、発生する指定メッセージ数を、撮影可能枚数に応じた数とすることができ、順次発生する指定メッセージにより指定される光景を順次撮影しても、その途中で撮影不可能となることはない。よって、最後まで順次指定メッセージに従った光景で撮影を行うことが可能となる。
【００８１】
また、請求項９及び請求項１５にかかる発明によれば、ユーザは指定メッセージを順次発生させるモードでの撮影が不可能であることを認識し得るのみならず、当該電子カメラに撮影可能枚数が少ないことを認識することができ、これに対する措置を即時に行うことができる。
【００８２】
また、請求項１１及び請求項１６かかる発明によれば、メモリに記録される画像のサイズに関してユーザの意思が無心されるが、順次発生する指定メッセージにより指定される光景を順次撮影しても、その途中で撮影不可能となる可能性が低くなり、最後まで順次指定メッセージに従った光景で撮影を行うことができる可能性が高まる。
【図面の簡単な説明】
【図１】本発明の各実施の形態に共通する電子カメラの回路構成を示すブロック図である。
【図２】同実施の形態のナビデータメモリ部の概念図である。
【図３】第１の実施の形態における処理手順を示すフローチャートである。
【図４】第１の実施の形態の変形例のナビデータメモリ部の概念図である。
【図５】第２の実施の形態における処理手順を示す要部フローチャートである。
【図６】第２の実施の形態の変形例における処理手順を示す要部フローチャートである。
【符号の説明】
１    電子カメラ
３    ＣＣＤ
４    ＭＰＵ
１４    ユニット回路
１５    ＤＲＡＭ
１６    フラッシュメモリ
１７    ＭＲＯＭ
１８    電源回路
１９    操作キー部
２０    ＴＦＴ液晶モニター
１７１    ナビデータメモリ部
１７３    ナビパターン
１７４    ナビデータメモリ部
１７５    ナビパターン
【図１】
2004207789.tif 000003
【図２】
2004207789.tif 000004
【図３】
2004207789.tif 000005
【図４】
2004207789.tif 000006
【図５】
2004207789.tif 000007
【図６】
2004207789.tif 000008